(57)【要約】【課題】本願発明の課題は、従来技術が抱える問題を解決することであり、すなわちエンドレスローラ式送出装置を利用して橋桁などの長尺物を送り出す場合において、確実かつ容易に鋼桁の下フランジ表面の損傷を防ぐことができる保護フィルム送出装置、及びこの装置を利用した長尺物送出システム、そしてこのシステムを用いた送り出し方法を提供することにある。【解決手段】本願発明の保護フィルム送出装置は、無端回転搬送体を保護する保護フィルムを送り出す装置であり、保護フィルムロールと固定手段を備えたものである。この固定手段は、保護フィルムロールを軸周りに回転可能に固定する手段である。そして、保護フィルムが無端回転搬送体に巻き回されることで、この無端回転搬送体の回転に伴って保護フィルムロールが回転して保護フィルムが送り出される。【選択図】図５
2019105036.tif 000002
【特許請求の範囲】
【請求項１】
無端回転搬送体を保護する保護フィルムを送り出す装置であって、
保護フィルムロールと、
前記保護フィルムロールを軸周りに回転可能に固定する固定手段と、を備え、
前記保護フィルムロールの保護フィルムが前記無端回転搬送体に巻き回されることで、該無端回転搬送体の回転に伴って該保護フィルムロールが回転して、該保護フィルムが送り出される、
ことを特徴とする保護フィルム送出装置。
【請求項２】
軸周りに回転可能な巻取り回転体を具備し、前記無端回転搬送体の回転によって送り出される前記保護フィルムを該巻取り回転体に巻き取る保護フィルム回収手段を、さらに備え、
前記保護フィルムロール又は前記固定手段の一部と、前記保護フィルム回収手段の一部とが、無端回転部材によって連結され、該保護フィルムロールの回転に伴って前記巻取り回転体が回転する、
ことを特徴とする請求項１記載の保護フィルム送出装置。
【請求項３】
無端回転搬送体上に載せられる長尺物を保護フィルムで保護しながら送り出すシステムにおいて、
前記無端回転搬送体を回転させることによって、該無端回転搬送体上に載せられる前記長尺物を送り出す回転搬送装置と、
保護フィルムロール、及び該保護フィルムロールを軸周りに回転可能に固定する固定手段を具備する保護フィルム送出装置と、を備え、
前記保護フィルムロールの前記保護フィルムが前記無端回転搬送体に巻き回されることで、該無端回転搬送体の回転に伴って該保護フィルムロールが回転して、該保護フィルムが送り出され、
前記無端回転搬送体と前記長尺物の間に前記保護フィルムを敷設した状態で、該長尺物を送り出す、
ことを特徴とする長尺物送出システム。
【請求項４】
前記保護フィルム送出装置が、前記無端回転搬送体の回転によって送り出される前記保護フィルムを巻取り回転体に巻き取る保護フィルム回収手段を、さらに具備し、
前記巻取り回転体は、軸周りに回転可能であり、
前記保護フィルムロール又は前記固定手段の一部と、前記保護フィルム回収手段の一部とが、無端回転部材によって連結され、該保護フィルムロールの回転に伴って前記巻取り回転体が回転する、
ことを特徴とする請求項３記載の長尺物送出システム。
【請求項５】
長尺物送出システムを用いて長尺物を送り出す方法において、
前記長尺物送出システムは、無端回転搬送体を回転させることによって該無端回転搬送体上に載せられる前記長尺物を送り出す回転搬送装置と、保護フィルムロール及び該保護フィルムロールを軸周りに回転可能に固定する固定手段を具備する保護フィルム送出装置と、を有し、
前記保護フィルムロールの保護フィルムを前記無端回転搬送体に巻き回すとともに、該保護フィルムが敷設された前記無端回転搬送体上に前記長尺物を載置する長尺物載置工程と、
前記無端回転搬送体を回転させることによって、該無端回転搬送体と前記長尺物の間に前記保護フィルムを敷設した状態で該長尺物を送り出す長尺物送出工程と、を備え、
前記無端回転搬送体の回転に伴って前記保護フィルムロールが回転し、前記長尺物の移動に伴って前記保護フィルム送出装置から前記保護フィルムが送り出される、
ことを特徴とする長尺物送り出し方法。
【請求項６】
前記保護フィルム送出装置が、前記無端回転搬送体の回転によって送り出される前記保護フィルムを巻取り回転体に巻き取る保護フィルム回収手段を、さらに具備し、
前記巻取り回転体は、軸周りに回転可能であり、
前記保護フィルムロール又は前記固定手段の一部と、前記保護フィルム回収手段の一部とが、無端回転部材によって連結され、
前記長尺物送出工程では、前記保護フィルムロールの回転に伴って前記巻取り回転体が回転することで、送り出される前記保護フィルムを該巻取り回転体に巻き取る、
ことを特徴とする請求項５記載の長尺物送り出し方法。
【発明の詳細な説明】
【技術分野】
【０００１】
本願発明は、例えば橋桁のような長尺物を送り出す技術に関するものであり、より具体的には、長尺物を傷つけることなく無端回転搬送体によって送り出すため、この無端回転搬送体用の保護フィルムを送り出す装置と、この装置を利用した長尺物送出システム、そしてこのシステムを用いた送り出し方法に関するものである。
【背景技術】
【０００２】
道路の上方を跨いで架設される跨道橋や、線路の上方を跨いで架設される跨線橋など、既に供用されている施設の上方に架け渡される橋梁を建設する場合、橋桁の設置には送り出し架設工法が採用されることが多い。この送り出し架設工法は、一方の支点側から橋桁を徐々に送り出し、橋桁の先端を他方の支点側まで到達させる工法である。したがって橋桁の先端が他方の支点側に到達するまでは、この橋桁は一端側のみで支持されるいわゆる片持ち状態とされる。
【０００３】
送り出し架設工法において橋桁を送り出すにあたってはこれまで種々の手法が採用されており、例えば、水平ジャッキを利用して送り出す手法、あるいはエンドレスローラ式の送出装置（以下、単に「エンドレスローラ式送出装置」という。）を利用して送り出す手法などが知られている。水平ジャッキを利用して送り出す手法は、送り出し方向に前後に並んで設けられた２つの支持体と、これら支持体間が伸縮するように支持体を移動させるジャッキを備えた装置を利用するもので、２つの支持体によって交互に受け替えられながら橋桁がジャッキによって移動することで、いわば尺取虫方式で送り出す手法である。
【０００４】
一方、エンドレスローラ式送出装置を利用する手法は、橋桁を載せた無端回転搬送体が回転することによって、橋桁を送り出す手法である。このエンドレスローラ式送出装置は、キャタピラ（クローラ）式送出装置とも呼ばれ、両端のローラ（プーリ）に無端状のベルトである無端回転搬送体を掛け回したものであり、この無端回転搬送体が回転することによってその上に載せられた橋桁が送り出されるわけである。特許文献１でも提案されているように、送り出し架設工法においては近年この手法が主流となっている。
【先行技術文献】
【特許文献】
【０００５】
【特許文献１】特開２００１−１７２９１８号公報
【発明の概要】
【発明が解決しようとする課題】
【０００６】
現在共用されている多くの建設インフラストラクチャー（以下、「建設インフラ」という。）は高度経済成長期に集中的に整備されたものであり、既に相当期間が経過していることから我が国の建設インフラ全体が更新の時期を迎えようとしている。とはいえ数多くの建設インフラを同時期に更新し、あるいは大規模な補強を行うことは、予算の面でも労力の点でも難しい。そこで近年では、建設インフラの健全性を適切に判断したうえで早い段階から軽微な補修等を行うなど、建設インフラの延命化を図ることが求められている。もちろんこれから新設される建設インフラに対しても、より長期的に共用できるよう新規な技術を取り入れながら設計され、施工されているところである。
【０００７】
例えば鋼橋の場合、鋼材表面の塗装仕様の高耐久化を図ったり、塗膜厚が不足しやすい角部に対して曲面仕上げを採用したりするなど、新たな塗装技術に取り組むことで長寿命化に向けて一定の効果を上げている。一方で、鋼桁を架設する際に当て傷や擦り傷を完全に避けることは難しく、傷が生じた部分は当然ながら塗膜も損傷することになる。送り出し架設工法を採用した場合、鋼桁を送り出すときに下面（下フランジ表面）に傷が生じやすく、特にエンドレスローラ式送出装置を利用する手法では下フランジ表面の大部分が無端回転搬送体と接触することから広い範囲で塗膜が損傷してしまう。塗膜の損傷部分は、防食上の弱点となり局所的な腐食が生ずるおそれもあり、したがってこのような塗膜損傷部分には架設後にタッチアップ補修を行っているのが現状である。
【０００８】
本来タッチアップ補修は傷を隠すために実施されるものであり、そのため実際には薄い上塗り用の塗料を塗布するだけであって、高耐久性を保持することはできない。また、鋼桁の下フランジ面に施されたタッチアップ跡は比較的人の目につきやすいことから景観を損ねることが問題視されている。
【０００９】
エンドレスローラ式送出装置を利用して鋼桁を送り出す場合において、鋼桁の下フランジ表面の損傷を防ぐためには、鋼桁（特に下フランジ表面）に保護材を貼付することが考えられる。しかしながら、養生テープなどを貼り付けると、架設後にこれをはがした跡（糊残り）が生じるため景観を損ねるという問題がある。
【００１０】
本願発明の課題は、従来技術が抱える問題を解決することであり、すなわちエンドレスローラ式送出装置を利用して橋桁などの長尺物を送り出す場合において、確実かつ容易に鋼桁の下フランジ表面の損傷を防ぐことができる保護フィルム送出装置、及びこの装置を利用した長尺物送出システム、そしてこのシステムを用いた送り出し方法を提供することにある。
【課題を解決するための手段】
【００１１】
本願発明は、エンドレスローラ式送出装置の無端回転搬送体に保護フィルムロールを巻き回し、無端回転搬送体の回転に伴って新たな保護フィルムロールを送り出していく、という点に着目してなされたものであり、従来にはない発想に基づいて行われた発明である。
【００１２】
本願発明の保護フィルム送出装置は、無端回転搬送体を保護する保護フィルムを送り出す装置であり、保護フィルムロールと固定手段を備えたものである。この固定手段は、保護フィルムロールを軸周りに回転可能に固定する手段である。そして、保護フィルムが無端回転搬送体に巻き回されることで、この無端回転搬送体の回転に伴って保護フィルムロールが回転して保護フィルムが送り出される。
【００１３】
本願発明の保護フィルム送出装置は、保護フィルム回収手段をさらに備えたものとすることもできる。この保護フィルム回収手段は、軸周りに回転可能な巻取り回転体を具備し、無端回転搬送体の回転によって送り出される保護フィルムをこの巻取り回転体に巻き取る手段である。この場合、保護フィルムロール（又は固定手段）の一部と、保護フィルム回収手段の一部とが、無端回転部材によって連結され、保護フィルムロールの回転に伴って巻取り回転体が回転し、これにより無端回転搬送体から送り出される保護フィルム（いわば、使用済みの保護フィルム）をこの巻取り回転体に巻き取っていく。
【００１４】
本願発明の長尺物送出システムは、無端回転搬送体上に載せられる長尺物を保護フィルムで保護しながら送り出すシステム（装置の組み合わせ）であり、回転搬送装置と本願発明の保護フィルム送出装置を備えたものである。このうち回転搬送装置は、例えばエンドレスローラ式送出装置のように、無端回転搬送体を回転させることによってこの無端回転搬送体上に載せられる長尺物を送り出す装置である。そして、無端回転搬送体と長尺物の間に保護フィルムを敷設した状態で長尺物を送り出す。これにより、保護フィルムで保護しながら長尺物を送り出すことができる。
【００１５】
本願発明の長尺物送出システムは、保護フィルム回収手段を具備する保護フィルム送出装置を備えたものとすることもできる。この場合、無端回転搬送体の回転によって送り出される保護フィルム（使用済みの保護フィルム）を巻取り回転体に巻き取ることができる。
【００１６】
本願発明の長尺物送り出し方法は、本願発明の長尺物送出システムを用いて長尺物を送り出す方法であり、長尺物載置工程と長尺物送出工程を備えている。このうち長尺物載置工程では、保護フィルムロールの保護フィルムを無端回転搬送体に巻き回すとともに、保護フィルムが敷設された無端回転搬送体上に長尺物を載置する。一方の長尺物送出工程では、無端回転搬送体を回転させることによって、無端回転搬送体と長尺物の間に保護フィルムを敷設した状態で長尺物を送り出す。
【００１７】
本願発明の長尺物送り出し方法は、保護フィルム回収手段を有する長尺物送出システムを用いて長尺物を送り出す方法とすることもできる。この場合、長尺物送出工程では、保護フィルムロールの回転に伴って保護フィルム回収手段の巻取り回転体が回転し、これにより無端回転搬送体の回転によって送り出される保護フィルム（使用済みの保護フィルム）を巻取り回転体に巻き取ることができる。
【発明の効果】
【００１８】
本願発明の保護フィルム送出装置、長尺物送出システム、及び長尺物送り出し方法には、次のような効果がある。
（１）エンドレスローラ式送出装置を利用する場合であっても、鋼桁の下フランジ表面の当て傷や擦り傷が生じ難く、塗装の高耐久性を保持することができるうえに、供用後に景観を損ねることがない。
（２）鋼桁の下フランジ表面の損傷が生じ難いことから、タッチアップ補修を実施する必要がなく、従来に比して材料費や人件費を低減することができる。
（３）無端回転搬送体の回転を利用して保護フィルムロールを送り出すことから、特段の動力が必要ないためコストがかからず、また配線も必要ないことから良好な施工環境を維持することができる。
（４）また、人の手を介することなく保護フィルムロールを送り出すことから、作業や監視を行う専任の人員を確保する必要がない。
（５）保護フィルム回収手段を設けると、使用済みの保護フィルムが飛散することがなく、またこれを片付ける手間が大幅に削減できる。
【図面の簡単な説明】
【００１９】
【図１】鋼桁が、送り出し架設工法によって左側橋脚から右側橋脚に向かって送り出される状況を示す側面図。
【図２】（ａ）は回転搬送装置を示す側面図、（ｂ）は回転搬送装置を上方から見た平面図。
【図３】単独型保護フィルム送出装置と回転搬送装置を備えた長尺物送出システムを示す側面図。
【図４】（ａ）は単独型保護フィルム送出装置を示す側面図、（ｂ）は単独型保護フィルム送出装置を示す正面図。
【図５】回収型保護フィルム送出装置と回転搬送装置を備えた長尺物送出システムを示す側面図。
【図６】（ａ）は回収型保護フィルム送出装置を示す側面図、（ｂ）は回収型保護フィルム送出装置を示す正面図。
【図７】本願発明の長尺物送り出し方法の主な工程の流れを示すフロー図。
【発明を実施するための形態】
【００２０】
本願発明の保護フィルム送出装置、長尺物送出システム、及び長尺物送り出し方法の実施形態の一例を図に基づいて説明する。なお本願発明は、断面寸法に比して軸方向寸法が大きな長尺物を送り出す際に実施できるものであるが、ここでは便宜上、長尺物の一例として橋梁の鋼桁の場合で説明する。
【００２１】
１．全体概要
はじめに、図１に基づいて本願発明の概要を説明する。図１は、送り出し架設工法によって鋼桁ＧＳが左側橋脚ＰＥ１から右側橋脚ＰＥ２に向かって送り出される状況を示す側面図である。通常、鋼桁ＧＳを送り出すときは、この図に示すように鋼桁ＧＳの先端（図では右側）に手延べ機ＭＰが取り付けられる。また、一般的に鋼桁ＧＳは軸方向寸法が大きい（長い）ことから、図に示すように送り出し側（左側橋脚ＰＥ１側）、受け取り側（右側橋脚ＰＥ２側）ともに支保工ＳＨが設置される。
【００２２】
従来の送り出し架設工法は、例えば送り出し側にある左側橋脚ＰＥ１の上部にエンドレスローラ式送出装置を配置し、このエンドレスローラ式送出装置の無端回転搬送体を回転させることで鋼桁ＧＳを送り出していた。一方、図１に示すように本願発明は、エンドレスローラ式送出装置に代えて、長尺物送出システム１００を送り出し側（図では左側橋脚ＰＥ１の上部）に配置する。この長尺物送出システム１００は、エンドレスローラ式送出装置などのように無端回転搬送体が回転する送出装置（以下、「回転搬送装置２００」という。）に加え、後述する保護フィルム送出装置３００を備えたシステム（装置の組み合わせ）であり、回転搬送装置２００の無端搬送体と接触する鋼桁ＧＳの下フランジ表面を保護フィルムで保護しながら、鋼桁ＧＳを送り出すことができるものである。なお長尺物送出システム１００は、送り出し側に限らず受け取り側（例えば、右側橋脚ＰＥ２の上部）に配置してもよいし、支保工ＳＨ上に配置してもよい。
【００２３】
２．長尺物送出システム
次に、本願発明の長尺物送出システム１００について詳しく説明する。なお、長尺物送出システム１００は、本願発明の保護フィルム送出装置３００を利用するものであるから、長尺物送出システム１００を説明する中でこの保護フィルム送出装置３００についてもあわせて説明することとする。また、本願発明の長尺物送り出し方法は、長尺物送出システム１００を用いて行う方法である。したがって、まずは長尺物送出システム１００について説明し、その後に本願発明の長尺物送り出し方法について説明することとする。
【００２４】
（回転搬送装置）
図２は、エンドレスローラ式送出装置を例とする回転搬送装置２００を示す図であり、（ａ）は側面図、（ｂ）は上方から見た平面図である。回転搬送装置２００は、この図に示す無端回転搬送体２１０を備えるとともに、動力によって作動する回転機構（図示しない）を備えており、回転機構によって無端回転搬送体２１０が回転することで無端回転搬送体２１０上の鋼桁ＧＳが送り出される。なお、回転搬送装置２００が動力を具備することとし当該動力によって回転機構を作動させることもできるし、回転搬送装置２００には動力を設けず他の設備の動力を利用して回転機構を作動させることもできる。
【００２５】
図２（ｂ）に示すように無端回転搬送体２１０の表面は、鋼桁ＧＳとの摩擦力を大きくするため（つまり、大きな摩擦係数を確保するため）凹凸を設けるなど粗面にするとよく、例えば無端回転搬送体２１０としてクローラ（キャタピラ）を利用することができる。なお、無端回転搬送体２１０が回転することから、下側に位置する無端回転搬送体２１０と接地面との間に空間が設けられたうえで無端回転搬送体２１０の本体は設置される。
【００２６】
（保護フィルム送出装置）
長尺物送出システム１００は、２つの形式の保護フィルム送出装置３００を適宜選択して利用することができる。第１の形式は無端回転搬送体２１０の回転によって送り出された後の保護フィルム（以下、便宜上「使用済み保護フィルム」という。）を回収しない保護フィルム送出装置３００（以下、「単独型保護フィルム送出装置３００ａ」という。）であり、第２の形式は使用済み保護フィルムを回収する保護フィルム送出装置３００（以下、「回収型保護フィルム送出装置３００ｂ」という。）である。以下、単独型保護フィルム送出装置３００ａと回収型保護フィルム送出装置３００ｂについて順に説明する。
【００２７】
図３は、単独型保護フィルム送出装置３００ａと回転搬送装置２００を備えた長尺物送出システム１００を示す側面図である。この図に示す長尺物送出システム１００は、単独型保護フィルム送出装置３００ａと回転搬送装置２００を含んで構成され、鋼桁ＧＳの送り出し方向（図で示す白抜きの矢印）に対して回転搬送装置２００より後方（図では左側）に単独型保護フィルム送出装置３００ａは配置される。そして、単独型保護フィルム送出装置３００ａから送り出された保護フィルム３１２は、鋼桁ＧＳと無端回転搬送体２１０の間を通過し、無端回転搬送体２１０の回転（図では時計回り）によってさらに前方（図では左側）に移動していく。このように、鋼桁ＧＳと無端回転搬送体２１０の間に保護フィルムを敷設することによって、鋼桁ＧＳと無端回転搬送体２１０の直接の接触を回避し、すなわち無端回転搬送体２１０（特に表面）と鋼桁ＧＳ（特に下フランジ表面）を保護することができるわけである。
【００２８】
図４は、単独型保護フィルム送出装置３００ａを説明する詳細図であり、（ａ）はその側面図、（ｂ）はその正面図である。図４（ａ）に示すように単独型保護フィルム送出装置３００ａは、保護フィルムロール３１０と固定手段３２０を含んで構成されるものである。このうち保護フィルムロール３１０は、ロール芯３１１に保護フィルム３１２が多重に巻かれたものである。保護フィルム３１２は、薄肉のシート状のものであって相当の強度を有するものであればポリエチレン製のシートなど従来用いられている様々な材料を採用することができ、例えば市販される梱包用フィルムなどを利用することができる。
【００２９】
一方の固定手段３２０は、第１回転軸体３２１と第１軸受柱３２２、そして支持板３２３を含んで構成される。より詳しくは図４（ｂ）に示すように、２つの第１軸受柱３２２が支持板３２３上に立設され、これら２つの第１軸受柱３２２間に第１回転軸体３２１が設置されることで固定手段３２０は形成される。なおこの第１回転軸体３２１は、回転軸周りに回転可能な構造となるように、その両端が２つの第１軸受柱３２２に支持されている。
【００３０】
保護フィルムロール３１０は、中空のロール芯３１１内に第１回転軸体３２１を挿通することによって固定手段３２０に固定され、これにより保護フィルムロール３１０も第１回転軸体３２１とともに回転軸周りに回転可能とされる。第１回転軸体３２１は、例えば第１軸受柱３２２に設けた小孔内に第１回転軸体３２１の両端を挿通する、あるいは第１軸受柱３２２に設けた小溝内に第１回転軸体３２１の両端を篏合するなど、着脱容易となるように第１軸受柱３２２に取り付けるとよい。このような構造とすることで、保護フィルムロール３１０の交換が容易となるわけである。なお図４（ｂ）に示す第１回転軸体３２１は、ロール芯３１１の内径に合わせた太径部分（中央部）と、第１軸受柱３２２に支持させる細径部分（両端部）の２重径構造としているが、これに限らず第１軸受柱３２２に支持させる両端部を含めてすべてロール芯３１１の内径に合わせた径の第１回転軸体３２１とすることもできる。
【００３１】
図５は、回収型保護フィルム送出装置３００ｂと回転搬送装置２００を備えた長尺物送出システム１００を示す側面図である。この図に示す長尺物送出システム１００は、回収型保護フィルム送出装置３００ｂと回転搬送装置２００を含んで構成され、鋼桁ＧＳの送り出し方向（図で示す白抜きの矢印）に対して回転搬送装置２００より後方（図では左側）に回収型保護フィルム送出装置３００ｂは配置される。そして、回収型保護フィルム送出装置３００ｂから送り出された保護フィルム３１２は、鋼桁ＧＳと無端回転搬送体２１０の間を通過し、無端回転搬送体２１０の回転（図では時計回り）によってさらに前方（図では左側）に移動していき、無端回転搬送体２１０の先端（図では左端）で折り返した後、回収型保護フィルム送出装置３００ｂが具備する保護フィルム回収手段３３０に巻き取られていく。このように、鋼桁ＧＳと無端回転搬送体２１０の間に保護フィルムを敷設することによって、鋼桁ＧＳと無端回転搬送体２１０の直接の接触を回避し、すなわち無端回転搬送体２１０（特に表面）と鋼桁ＧＳ（特に下フランジ表面）を保護することができ、しかも保護フィルム回収手段３３０によって使用済み保護フィルムを回収することによって、使用済み保護フィルムが飛散や散乱することがないうえに、容易に後片付けができるわけである。
【００３２】
図６は、回収型保護フィルム送出装置３００ｂを説明する詳細図であり、（ａ）はその側面図、（ｂ）はその正面図である。図６（ａ）に示すように回収型保護フィルム送出装置３００ｂは、保護フィルムロール３１０と固定手段３２０、そして保護フィルム回収手段３３０と無端回転部材３４０を含んで構成されるものである。このうち保護フィルムロール３１０と固定手段３２０は、単独型保護フィルム送出装置３００ａで説明したものと同様のものであるためここでは説明を省略する。
【００３３】
保護フィルム回収手段３３０は、第２回転軸体３３１と第２軸受柱３３２を含んで構成される。より詳しくは図６（ｂ）に示すように、第１軸受柱３２２と同様、第２軸受柱３３２が支持板３２３上に立設され、これら２つの第２軸受柱３３２間に第２回転軸体３３１が設置されることで保護フィルム回収手段３３０は形成される。なおこの第２回転軸体３３１は、回転軸周りに回転可能な構造となるように、その両端が２つの第２軸受柱３３２に支持されている。
【００３４】
図６（ａ）を参照しながら、回収型保護フィルム送出装置３００ｂについてさらに詳しく説明する。回収型保護フィルム送出装置３００ｂを構成する支持板３２３のうち鋼桁ＧＳの送り出し方向における後方端（図では左側端）には、２つの第１軸受柱３２２が立設され、これら２つの第１軸受柱３２２間に回転可能に第１回転軸体３２１が取り付けられ、中空のロール芯３１１を挿通することで保護フィルムロール３１０が第１回転軸体３２１に取り付けられる。なお、図６に示す固定手段３２０は単独型保護フィルム送出装置３００ａで説明したものと同様のものであると説明したが、単独型保護フィルム送出装置３００の固定手段３２０とは第１軸受柱３２２の立設位置が異なる。すなわち、単独型保護フィルム送出装置３００の固定手段３２０は支持板３２３の中央部に第１軸受柱３２２が立設されるのに対して、回収型保護フィルム送出装置３００ｂの固定手段３２０は支持板３２３の端部に第１軸受柱３２２が立設される。
【００３５】
支持板３２３の前方端（図では右側端）には、２つの第２軸受柱３３２が立設され、これら２つの第２軸受柱３３２間に回転可能に第２回転軸体３３１が取り付けられる。そして、固定手段３２０のうちの第１回転軸体３２１に無端回転部材３４０を掛け回すとともに、保護フィルム回収手段３３０のうちの第２回転軸体３３１にも無端回転部材３４０を掛け回す。このように無端回転部材３４０によって第１回転軸体３２１と第２回転軸体３３１を連結することで、第１回転軸体３２１０の回転に伴って第２回転軸体３３１も回転するわけである。
【００３６】
無端回転部材３４０は、ロープ状あるいはベルト状であって無端の環状を呈したものであり、例えばゴム製とするなど相当の弾性を持った材料で無端回転部材３４０を形成するとさら好適となる。なお回収型保護フィルム送出装置３００ｂは、保護フィルムロール３１０の片側（例えば図６（ａ）の紙面手前側）のみに無端回転部材３４０を設けることもできるし、保護フィルムロール３１０の両側（図６（ａ）の紙面手前側と紙面奥側）に無端回転部材３４０を設けることもできる。また図６（ａ）では、第１回転軸体３２１と第２回転軸体３３１に無端回転部材３４０を掛け回しているが、これに限らず、保護フィルムロール３１０のロール芯３１１と第２回転軸体３３１に無端回転部材３４０を掛け回すことで、間接的に第１回転軸体３２１と第２回転軸体３３１を連結することもできる。
【００３７】
（長尺物送出システムの使用例）
鋼桁ＧＳを送り出す際における長尺物送出システム１００の使用例について、図５を参照しながら説明する。なお、ここで説明する長尺物送出システム１００は、回収型保護フィルム送出装置３００ｂを備えたものとする。
【００３８】
所定位置に回転搬送装置２００を配置し、鋼桁ＧＳの送り出し方向（図で示す白抜きの矢印）におけるその後方側（図では左側）に回収型保護フィルム送出装置３００ｂを配置する。このとき、保護フィルムロール３１０よりも保護フィルム回収手段３３０の方が前方（図では右側）となるように回収型保護フィルム送出装置３００ｂを配置する。回転搬送装置２００と回収型保護フィルム送出装置３００ｂをそれぞれ配置すると、保護フィルムロール３１０から保護フィルム３１２を引き出し、無端回転搬送体２１０の外周に保護フィルム３１２を巻き回す。その際、無端回転搬送体２１０を回転させながら保護フィルム３１２を巻き回してもよい。
【００３９】
無端回転搬送体２１０の前方端（図では右側）で折り返した保護フィルム３１２は、さらに回転搬送装置２００の後方（図では左側）に位置する保護フィルム回収手段３３０まで引き延ばされる。そして、テープや接着剤等を用いて保護フィルム３１２の先端を保護フィルム回収手段３３０の第２回転軸体３３１に固定する。ここまでで、鋼桁ＧＳを送り出す準備が整う。
【００４０】
続いて、上側に位置する無端回転搬送体２１０の表面に鋼桁ＧＳを載置する。このとき、無端回転搬送体２１０の表面（外周）は保護フィルム３１２によって覆われており、すなわち鋼桁ＧＳと無端回転搬送体２１０の間に保護フィルム３１２が介在しているため、鋼桁ＧＳの下フランジ表面は無端回転搬送体２１０と直接接触しない。この状態で回転搬送装置２００の回転機構によって無端回転搬送体２１０を回転（図では時計回り）させ、無端回転搬送体２１０上に載置した鋼桁ＧＳを徐々に前方（図で示す白抜きの矢印）へと送り出していく。無端回転搬送体２１０が回転すると、これに伴い保護フィルムロール３１０から保護フィルム３１２が引き出され、さらにこれに伴って保護フィルムロール３１０も回転（図では時計回り）していく。このように無端回転搬送体２１０の回転に伴って、換言すると鋼桁ＧＳの移動に伴って保護フィルムロール３１０から保護フィルム３１２が引き出されるため、鋼桁ＧＳと無端回転搬送体２１０の間には常に新しい保護フィルム３１２が敷設されることになる。
【００４１】
無端回転部材３４０によって第１回転軸体３２１（あるいは保護フィルムロール３１０）と第２軸受柱３３２が連結されていることから、無端回転搬送体２１０の回転に応じて保護フィルムロール３１０が回転すると、やはり第２軸受柱３３２も回転（図では時計回り）していく。保護フィルム３１２の先端がテープ等で第２軸受柱３３２に固定されているため、第２軸受柱３３２が回転すると使用済み保護フィルムはこの第２軸受柱３３２に順次巻き取られていく。このように第２軸受柱３３２が巻き取ることによって使用済み保護フィルムを回収することができ、使用済み保護フィルムが飛散や散乱することがないうえに、容易に後片付けができるわけである。
【００４２】
３．長尺物送り出し方法
続いて本願発明の長尺物送り出し方法について図７を参照しながら説明する。図７は、本願発明の長尺物送り出し方法の主な工程の流れを示すフロー図である。なお、本願発明の長尺物送り出し方法は、ここまで説明した長尺物送出システム１００を用いて行う方法であり、したがって長尺物送出システム１００で説明した内容と重複する説明は避け、本願発明の長尺物送り出し方法に特有の内容のみ説明することとする。すなわち、ここに記載されていない内容は、保護フィルム送出装置３００の説明を含め長尺物送出システム１００で説明したものと同様である。
【００４３】
はじめに、所定位置に回転搬送装置２００を配置し、鋼桁ＧＳの送り出し方向におけるその後方側に保護フィルム送出装置３００を配置する（Ｓｔｅｐ１０）。なお回収型保護フィルム送出装置３００ｂを採用する場合は、保護フィルムロール３１０よりも保護フィルム回収手段３３０の方が前方となるように配置する。回転搬送装置２００と保護フィルム送出装置３００をそれぞれ配置すると、保護フィルムロール３１０から保護フィルム３１２を引き出し、無端回転搬送体２１０の外周に保護フィルム３１２を巻き回す（Ｓｔｅｐ２０）。その際、無端回転搬送体２１０を回転させながら保護フィルム３１２を巻き回してもよい。
【００４４】
回収型保護フィルム送出装置３００ｂを採用する場合は、無端回転搬送体２１０の前方端で折り返した保護フィルム３１２を、さらに回転搬送装置２００の後方に位置する保護フィルム回収手段３３０まで引き延ばし、テープや接着剤等を用いて保護フィルム３１２の先端を保護フィルム回収手段３３０の第２回転軸体３３１に固定する（Ｓｔｅｐ３０）。ここまでの工程で、鋼桁ＧＳを送り出す準備が整う。
【００４５】
続いて、上側に位置する無端回転搬送体２１０の表面に鋼桁ＧＳを載置する（Ｓｔｅｐ４０）。そして、無端回転搬送体２１０の表面（外周）が保護フィルム３１２によって覆われた状態、すなわち鋼桁ＧＳと無端回転搬送体２１０の間に保護フィルム３１２が介在した状態で、回転搬送装置２００の回転機構によって無端回転搬送体２１０を回転させ、無端回転搬送体２１０上に載置した鋼桁ＧＳを徐々に前方へと送り出していく（Ｓｔｅｐ５０）。無端回転搬送体２１０が回転すると、これに伴い保護フィルムロール３１０から保護フィルム３１２が引き出され、さらにこれに伴って保護フィルムロール３１０も回転していく。このように鋼桁ＧＳの移動に伴って保護フィルムロール３１０から保護フィルム３１２が引き出されるため、鋼桁ＧＳと無端回転搬送体２１０の間には常に新しい保護フィルム３１２が敷設されることになる。なお、鋼桁ＧＳが特に長い場合など、送り出しの途中で保護フィルムロール３１０の保護フィルム３１２がなくなったときは、第１軸受柱３２２から第１回転軸体３２１外し、新たな保護フィルムロール３１０を装着した第１回転軸体３２１を第１軸受柱３２２に取り付けたうえで、鋼桁ＧＳの送り出しを続行するとよい。
【００４６】
回収型保護フィルム送出装置３００ｂを採用する場合、無端回転部材３４０によって第１回転軸体３２１（あるいは保護フィルムロール３１０）と第２軸受柱３３２が連結されていることから、端回転搬送体２１０の回転に応じて保護フィルムロール３１０が回転すると、やはり第２軸受柱３３２も回転していく。保護フィルム３１２の先端がテープ等で第２軸受柱３３２に固定されているため、第２軸受柱３３２が回転すると使用済み保護フィルムはこの第２軸受柱３３２に順次巻き取られて回収される。
【００４７】
所定の位置まで鋼桁ＧＳを送り出すことができると、後片付けを行う（Ｓｔｅｐ６０）。単独型保護フィルム送出装置３００ａを採用した場合は、作業者が使用済み保護フィルムを手作業で回収し、回収型保護フィルム送出装置３００ｂを採用する場合は、保護フィルム３１２を任意位置で切断したうえで、使用済み保護フィルムが巻かれた第２回転軸体３３１を第２軸受柱３３２から取り外して使用済み保護フィルムを回収する。
【産業上の利用可能性】
【００４８】
本願発明の保護フィルム送出装置、長尺物送出システム、及び長尺物送り出し方法は、送り出し架設工法に利用できるほか、ベント架設や台船輸送の際にも利用することができる。本願発明によれば、鋼橋における塗装の高耐久性を保持することができ、その結果、社会インフラである橋梁の長寿命化につながることを考えれば、産業上利用できるばかりでなく社会的にも大きな貢献を期待し得る発明といえる。
【符号の説明】
【００４９】
１００    長尺物送出システム
２００    （長尺物送出システムの）回転搬送装置
２１０    （回転搬送装置の）無端回転搬送体
３００    （長尺物送出システムの）保護フィルム送出装置
３００ａ  （長尺物送出システムの）単独型保護フィルム送出装置
３００ｂ  （長尺物送出システムの）回収型保護フィルム送出装置
３１０    （保護フィルム送出装置の）保護フィルムロール
３１１    （保護フィルムロールの）ロール芯
３１２    （保護フィルムロールの）保護フィルム
３２０    （保護フィルム送出装置の）固定手段
３２１    （固定手段の）第１回転軸体
３２２    （固定手段の）第１軸受柱
３２３    （固定手段の）支持板
３３０    （回収型保護フィルム送出装置の）保護フィルム回収手段
３３１    （保護フィルム回収手段の）第２回転軸体
３３２    （保護フィルム回収手段の）第２軸受柱
３４０    （回収型保護フィルム送出装置の）無端回転部材
ＧＳ      鋼桁
ＰＥ１    左側橋脚
ＰＥ２    右側橋脚
ＭＰ      手延べ機
ＳＨ      支保工
【図１】
2019105036.tif 000003
【図２】
2019105036.tif 000004
【図３】
2019105036.tif 000005
【図４】
2019105036.tif 000006
【図５】
2019105036.tif 000007
【図６】
2019105036.tif 000008
【図７】
2019105036.tif 000009